(57)【要約】【課題】本発明は、湾曲させても回路のクラック・断線を防止することができる液晶表示パネルを提供することを目的としている。【解決手段】液晶表示パネルは、トランジスタ、電極及び配線を少なくとも構成する無機薄膜２６を含む。第１の基板１０は、第２の基板１２と対向する第１の内面１４と、第２の基板１２とは反対の第１の外面１６と、を有する。第２の基板１２は、第１の基板１０と対向する第２の内面１８と、第１の基板１０とは反対の第２の外面２０と、を有する。無機薄膜２６は、第１又は第２の内面１４，１８に密着して形成されている。第１の外面１６から第２の外面２０までの厚みの中心Ｃが、第２の基板１２の内部に位置する。第１の基板１０の厚みＴ１と、第２の基板１２の厚みＴ２と、第１及び第２の内面１４，１８の間隔Ｄとが、Ｔ１＋Ｄ＜Ｔ２の関係を有する。【選択図】図４
2010102010.tif 000002
【特許請求の範囲】
【請求項１】
間隔をあけて対向するように位置する第１の基板及び第２の基板と、
前記第１及び第２の基板の端部同士を固定するシールと、
前記第１及び第２の基板の間に封入された液晶と、
トランジスタ、電極及び配線を少なくとも構成する無機薄膜と、
を含み、
前記第１の基板は、前記第２の基板と対向する第１の内面と、前記第２の基板とは反対の第１の外面と、を有し、
前記第２の基板は、前記第１の基板と対向する第２の内面と、前記第１の基板とは反対の第２の外面と、を有し、
前記無機薄膜は、前記第１又は第２の内面に密着して形成され、
前記第１の外面から前記第２の外面までの厚みの中心が、前記第２の基板の内部に位置し、
前記第１の基板の厚みＴ１と、前記第２の基板の厚みＴ２と、前記第１及び第２の内面の間隔Ｄとが、
Ｔ１＋Ｄ＜Ｔ２
の関係を有することを特徴とする液晶表示パネル。
【請求項２】
請求項１に記載された液晶表示パネルにおいて、
前記第１の外面が凹面となり、前記第１の内面が凸面となり、前記第２の外面が凸面となり、前記第２の内面が凹面となるように、前記第１及び第２の基板が湾曲してなることを特徴とする液晶表示パネル。
【請求項３】
請求項２に記載された液晶表示パネルにおいて、
前記第２の基板の前記第２の内面に前記無機薄膜が形成されていることを特徴とする液晶表示パネル。
【請求項４】
請求項２に記載された液晶表示パネルにおいて、
前記第１の基板の前記第１の内面に前記無機薄膜が形成されていることを特徴とする液晶表示パネル。
【請求項５】
請求項１から４のいずれか１項に記載された液晶表示パネルにおいて、
前記第１及び第２の基板は、同じ材料からなることを特徴とする液晶表示パネル。
【請求項６】
請求項１から４のいずれか１項に記載された液晶表示パネルにおいて、
前記第１及び第２の基板は、いずれもガラスからなることを特徴とする液晶表示パネル。
【請求項７】
請求項１から４のいずれか１項に記載された液晶表示パネルにおいて、
前記第１及び第２の基板は、いずれも樹脂からなることを特徴とする液晶表示パネル。
【請求項８】
請求項１から４のいずれか１項に記載された液晶表示パネルにおいて、
前記第１及び第２の基板は、いずれも同じヤング率の材料からなることを特徴とする液晶表示パネル。
【発明の詳細な説明】
【技術分野】
【０００１】
本発明は、液晶表示パネルに関する。
【背景技術】
【０００２】
液晶表示パネルは、基板を薄くすれば湾曲させることが可能である（特許文献１参照）。対向する第１及び第２の基板は、対向面の端部同士が強固に固定されている。そのため、第１及び第２の基板を、第１の基板の外面が凸面を形成するとともに第２の基板の外面が凹面を形成するように湾曲させると、第１の基板には引っ張り応力が生じ、第２の基板には圧縮応力が生じる。そして、引っ張られる第１の基板にＴＦＴ（Thin Film Transistor）や配線を含む回路が形成されていると、クラック・断線が生じないようにすることが要求される。
【特許文献１】特開２００３−２８０５４８号公報
【発明の開示】
【発明が解決しようとする課題】
【０００３】
本発明は、湾曲させても回路のクラック・断線を防止することができる液晶表示パネルを提供することを目的としている。
【課題を解決するための手段】
【０００４】
（１）本発明に係る液晶表示パネルは、間隔をあけて対向するように位置する第１の基板及び第２の基板と、前記第１及び第２の基板の端部同士を固定するシールと、前記第１及び第２の基板の間に封入された液晶と、トランジスタ、電極及び配線を少なくとも構成する無機薄膜と、を含み、前記第１の基板は、前記第２の基板と対向する第１の内面と、前記第２の基板とは反対の第１の外面と、を有し、前記第２の基板は、前記第１の基板と対向する第２の内面と、前記第１の基板とは反対の第２の外面と、を有し、前記無機薄膜は、前記第１又は第２の内面に密着して形成され、前記第１の外面から前記第２の外面までの厚みの中心が、前記第２の基板の内部に位置し、前記第１の基板の厚みＴ１と、前記第２の基板の厚みＴ２と、前記第１及び第２の内面の間隔Ｄとが、Ｔ１＋Ｄ＜Ｔ２の関係を有することを特徴とする。本発明によれば、第１の外面から第２の外面までの厚みの中心が、第２の基板の内部に位置する。したがって、第２の外面が凸になるように液晶表示パネルを湾曲させると、引っ張り応力が生じるのは、第２の外面から厚みの中心までの部分である。つまり、第１の内面にも第２の内面にも引っ張り応力は生じない。したがって、第１の内面に無機薄膜を形成し、凸面である第２の外面を表示面とすることができ、あるいは、第２の内面に無機薄膜を形成し、凹面である第１の外面を表示面とすることもでき、いずれの場合であっても、無機薄膜には圧縮応力は生じるとしても引っ張り応力が生じないので、回路のクラック・断線を防止することができる。
【０００５】
（２）（１）に記載された液晶表示パネルにおいて、前記第１の外面が凹面となり、前記第１の内面が凸面となり、前記第２の外面が凸面となり、前記第２の内面が凹面となるように、前記第１及び第２の基板が湾曲してなることを特徴としてもよい。
【０００６】
（３）（２）に記載された液晶表示パネルにおいて、前記第２の基板の前記第２の内面に前記無機薄膜が形成されていることを特徴としてもよい。
【０００７】
（４）（２）に記載された液晶表示パネルにおいて、前記第１の基板の前記第１の内面に前記無機薄膜が形成されていることを特徴としてもよい。
【０００８】
（５）（１）から（４）のいずれか１項に記載された液晶表示パネルにおいて、前記第１及び第２の基板は、同じ材料からなることを特徴としてもよい。
【０００９】
（６）（１）から（４）のいずれか１項に記載された液晶表示パネルにおいて、前記第１及び第２の基板は、いずれもガラスからなることを特徴としてもよい。
【００１０】
（７）（１）から（４）のいずれか１項に記載された液晶表示パネルにおいて、前記第１及び第２の基板は、いずれも樹脂からなることを特徴としてもよい。
【００１１】
（８）（１）から（４）のいずれか１項に記載された液晶表示パネルにおいて、前記第１及び第２の基板は、いずれも同じヤング率の材料からなることを特徴としてもよい。
【発明を実施するための最良の形態】
【００１２】
以下、本発明の実施の形態について、図面を参照しながら説明する。
【００１３】
（第１の実施の形態）
図１は、本発明の第１の実施の形態に係る液晶表示パネルを示す斜視図である。図２は、図１に示す液晶表示パネルのII-II線断面図である。
【００１４】
液晶表示パネルは、第１及び第２の基板１０，１２を有する。第１及び第２の基板１０，１２は、同じ材料（例えば、ガラス又は樹脂）からなる。第１及び第２の基板１０，１２は、いずれも同じヤング率の材料からなる。第１及び第２の基板１０，１２は光透過性を有し、間隔をあけて対向するように配置され、湾曲（屈曲を含む）できる程度に薄くなっている。
【００１５】
第１の基板１０は、第２の基板１２と対向する第１の内面１４と、第２の基板１２とは反対の第１の外面１６と、を有する。第２の基板１２は、第１の基板１０と対向する第２の内面１８と、第１の基板１０とは反対の第２の外面２０と、を有する。第１及び第２の外面１６，２０には、図示しない偏光板が配置される。
【００１６】
第１及び第２の基板１０，１２は、例えばエポキシ樹脂からなるシール２２によって端部同士が固定されている。固定される端部同士の相対的な位置が変わらないように強固に両者は固定されている。第１及び第２の基板１０，１２の間に液晶２４が封入されている。液晶２４を封入した後に第１及び第２の基板１０，１２を研磨して薄くすれば、第１及び第２の基板１０，１２の破損を減らすことができる。
【００１７】
液晶パネルの駆動方式は、IPS（In Plane Switching）方式、TN（Twisted Nematic）方式又はVA（Virtical Alignment）方式などいずれの方式であっても、方式に応じた電極及び配線が形成される。
【００１８】
第１の外面１６から第２の外面２０までの厚みの中心Ｃが、第２の基板１２の内部に位置している。第１の基板１０の厚みＴ１と、第２の基板１２の厚みＴ２と、第１及び第２の内面１４，１８の間隔Ｄとが、
Ｔ１＋Ｄ＜Ｔ２
の関係を有する。
【００１９】
トランジスタ、電極及び配線を少なくとも構成する無機薄膜２６が、第２の内面１８に密着して形成されている。第２の基板１２は、ＴＦＴ（Thin Film Transistor）基板であり、第１の基板１０は、図示しない着色層を有するカラーフィルタ基板である。尚、電極及び配線を少なくとも構成する無機薄膜２６は、シール２２の下部を越えて第２の基板１２の端部まで延びてもよい。この場合、第２の基板１２の端部における無機薄膜２６には、外部からの信号が入力される端子が形成される。また、この端子部を露出するために、第２の基板１２は、第１の基板１０よりも平面的に見て大きく形成されてもよい。
【００２０】
図３は、本発明の第１の実施の形態に係る湾曲した液晶表示パネルを示す斜視図である。図４は、図３に示す液晶表示パネルのIV-IV線断面図である。
【００２１】
図３及び図４に示す液晶表示パネルは、第１の外面１６が凹面となり、第１の内面１４が凸面となり、第２の外面２０が凸面となり、第２の内面１８が凹面となるように、第１及び第２の基板１０，１２が湾曲している。
【００２２】
本実施の形態によれば、第１の外面１６から第２の外面２０までの厚みの中心Ｃが、第２の基板１２の内部に位置する。したがって、第２の外面２０が凸になるように液晶表示パネルを湾曲させると、引っ張り応力が生じるのは、第２の外面２０から厚みの中心Ｃまでの部分である。つまり、第２の内面１８には引っ張り応力が生じない。したがって、第２の内面１８に無機薄膜２６を形成し、凹面である第１の外面１６を表示面とすることができ、この場合、無機薄膜２６に圧縮応力が生じるとしても引っ張り応力が生じないので、回路のクラック・断線を防止することができる。
【００２３】
（第２の実施の形態）
図５は、本発明の第２の実施の形態に係る液晶表示パネルを示す斜視図である。図６は、図５に示す液晶表示パネルのVI-VI線断面図である。
【００２４】
本実施の形態では、トランジスタ、電極及び配線を少なくとも構成する無機薄膜１２６が、第１の内面１４に密着して形成されている。第１の基板１０は、ＴＦＴ（Thin Film Transistor）基板であり、第２の基板１２は、図示しない着色層を有するカラーフィルタ基板である。その他の構成は、上記第１の実施の形態で説明した内容が該当する。
【００２５】
図７は、本発明の第２の実施の形態に係る湾曲した液晶表示パネルを示す斜視図である。図８は、図７に示す液晶表示パネルのVIII-VIII線断面図である。
【００２６】
図７及び図８に示す液晶表示パネルは、第１の外面１６が凹面となり、第１の内面１４が凸面となり、第２の外面２０が凸面となり、第２の内面１８が凹面となるように、第１及び第２の基板１０，１２が湾曲している。
【００２７】
本実施の形態によれば、第１の外面１６から第２の外面２０までの厚みの中心Ｃが、第２の基板１２の内部に位置する。したがって、第２の外面２０が凸になるように液晶表示パネルを湾曲させると、引っ張り応力が生じるのは、第２の外面２０から厚みの中心Ｃまでの部分である。つまり、第１の内面１４には引っ張り応力は生じない。したがって、第１の内面１４に無機薄膜１２６を形成し、凸面である第２の外面２０を表示面とすることができ、この場合、無機薄膜１２６には圧縮応力が生じるとしても引っ張り応力が生じないので、回路のクラック・断線を防止することができる。
【００２８】
上述した第１又は第２の実施の形態に係る液晶表示パネルを用いて液晶表示装置を構成することができる。
【００２９】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【図面の簡単な説明】
【００３０】
【図１】本発明の第１の実施の形態に係る液晶表示パネルを示す斜視図である。
【図２】図１に示す液晶表示パネルのII-II線断面図である。
【図３】本発明の第１の実施の形態に係る湾曲した液晶表示パネルを示す斜視図である。
【図４】図３に示す液晶表示パネルのIV-IV線断面図である。
【図５】本発明の第２の実施の形態に係る液晶表示パネルを示す斜視図である。
【図６】図５に示す液晶表示パネルのVI-VI線断面図である。
【図７】本発明の第２の実施の形態に係る湾曲した液晶表示パネルを示す斜視図である。
【図８】図７に示す液晶表示パネルのVIII-VIII線断面図である。
【符号の説明】
【００３１】
１０  第１の基板、１２  第２の基板、１４  第１の内面、１６  第１の外面、１８  第２の内面、２０  第２の外面、２２  シール、２４  液晶、２６  無機薄膜、１２６  無機薄膜。
【図１】
2010102010.tif 000003
【図２】
2010102010.tif 000004
【図３】
2010102010.tif 000005
【図４】
2010102010.tif 000006
【図５】
2010102010.tif 000007
【図６】
2010102010.tif 000008
【図７】
2010102010.tif 000009
【図８】
2010102010.tif 000010